(57)【特許請求の範囲】
【請求項１】
第１の電力線通信モデム（３６）を介して電力線に接続する録画装置（３０）と、
第２の電力線通信モデム（１６）を介して当該電力線に接続し、当該録画装置（３０）に映像信号ケーブル（６０）を介して映像信号を供給する映像供給装置（１０）
とからなり、
当該録画装置（３０）は当該第１の電力線通信モデム、当該電力線及び当該第２の電力線通信モデムを介して動作モードを当該映像供給装置に通知する通知手段（７４）を具備し、
当該映像供給装置（１０）は、当該録画装置に供給すべき映像信号のコピー管理情報及び当該録画装置の動作モードに従い、当該映像信号の当該映像信号ケーブルへの出力の有無及び画質を制御する制御手段（５４）を具備し、
当該映像供給装置（１０）は、電力線通信が不通の状態では、当該映像信号ケーブル（６０）への映像信号出力を停止し、
当該録画装置（３０）は、電力線通信が不通の状態では、当該映像信号ケーブル（６０）からの映像信号の記録を停止する
ことを特徴とする録画管理システム。
【発明の詳細な説明】
【技術分野】
【０００１】
本発明は、録画管理システムに関し、より具体的には著作権等により録画を制限された映像情報の録画を管理するシステムに関する。
【背景技術】
【０００２】
映像信号の録画規制は、映像信号又は映像データに録画管理の信号、いわゆるコピーガード信号を埋め込む方法で実現されている。また、再生装置と表示装置又は録画装置との間に一定の認証を必要とすることで、ＬＡＮ（Local Area Network）を介した映像データの伝送を可能にするシステムも知られている。
【０００３】
LANを介したコンテンツの伝送と認証は、特許文献１に記載されている。また、装置間及びネットワーク間でのコピープロテクトは、特許文献２，３に記載されている。
【特許文献１】特開２００５−００５８２１号公報
【特許文献２】特開２０００−２８７１９２号公報
【特許文献３】特開２００１−３５８７０６号公報
【発明の開示】
【発明が解決しようとする課題】
【０００４】
著作権管理されている高品位映像信号も、標準画質（ＳＤ）のアナログ映像信号として出力され、コピーガードに対応しない録画装置に入力されると、録画を防ぐのは困難である。
【０００５】
本発明は、このような不都合を解消する録画管理システムを提示することを目的とする。
【課題を解決するための手段】
【０００６】
本発明に係る録画管理システムは、第１の電力線通信モデムを介して電力線に接続する録画装置と、第２の電力線通信モデムを介して当該電力線に接続し、当該録画装置に映像信号ケーブルを介して映像信号を供給する映像供給装置とからなり、当該録画装置は当該第１の電力線通信モデム、当該電力線及び当該第２の電力線通信モデムを介して動作モードを当該映像供給装置に通知する通知手段を具備し、当該映像供給装置は、当該録画装置に供給すべき映像信号のコピー管理情報及び当該録画装置の動作モードに従い、当該映像信号の当該映像信号ケーブルへの出力の有無及び画質を制御する制御手段を具備し、当該映像供給装置は、電力線通信が不通の状態では、当該映像信号ケーブルへの映像信号出力を停止し、当該録画装置は、電力線通信が不通の状態では、当該映像信号ケーブルからの映像信号の記録を停止することを特徴とする。
【発明の効果】
【０００７】
本発明によれば、利用者に意識させることなく、コピー管理情報に従う録画管理を実現できる。
【発明を実施するための最良の形態】
【０００８】
以下、図面を参照して、本発明の実施例を詳細に説明する。
【０００９】
図１は、本発明の第1実施例の概略構成ブロック図を示す。同軸ケーブル、光ケーブル又はインターネット等を介してＴＶ放送会社からの映像データを受信するセットトップボックス１０は、通信線１２及び電力線１４で電力線通信モデム１６に接続する。電力線通信モデム１６はまた、電力線１８のプラグ２０で商用交流電源のコンセント２２に接続する。
【００１０】
他方、録画装置３０は、通信線３２及び電力線３４で電力線通信モデム３６に接続する。電力線通信モデム３６はまた、電力線３８のプラグ４０で商用交流電源のコンセント４２に接続する。
【００１１】
セットトップボックス１０と録画装置３０は、電力線通信モデム１６，３６を介して互いの動作状態を知ることができる。本実施例では、録画装置３０は、映像入力装置７０への映像信号入力の有無と入力する映像信号の画質、及び、記録装置７２の動作モード（記録モードか再生モードか）と記録モードでの記録画質をセットトップボックス１０に通知する。セットトップボックス１０は、録画装置３０からのこれらの情報と、映像データのコピー管理情報に従い、映像出力装置５２による映像出力の可否と画質、並びに、録画装置３０の記録動作の可否及び記録モードでの画質を制御可能である。
【００１２】
セットトップボックス１０は、ＴＶ放送会社から受信した映像データをメモリ５０に記憶する。メモリ５０に記憶された映像データは、映像出力装置５２に読み出される。映像出力装置５２は、メモリ５０からの映像データを、制御装置５４により指定される画質のアナログ映像信号に変換し、映像信号ケーブル６０を介して録画装置３０に供給する。入力映像データにコピー許可の有無、コピー回数及びコピー画質等に関するコピー管理情報が付加されている場合、このコピー管理情報は、メモリ５０から制御装置５４に転送される。
【００１３】
録画装置３０の映像入力装置７０は、映像信号ケーブル６０を介して入力する映像信号を取り込み、記録装置７２に供給する。記録装置７２は、制御装置７４の制御下で、映像入力装置７０からの映像信号を図示しない記録媒体、例えば、磁気テープ、光ディスク又はハードディスクに記録する。映像入力装置７０はまた、映像信号の入力の有無とその画質を制御装置７４に通知する。
【００１４】
セットトップボックス１０の制御装置５４は、通信線１２を介して電力線通信モデム１６と接続する。また、録画装置３０の制御装置７４は、通信線３２を介して電力線通信モデム３６に接続する。セットトップボックス１０の制御装置５４と録画装置３０の制御装置７４は、電力線通信モデム１６，３６により、互いに情報をやりとりすることができる。録画装置３０の制御装置７４は、電力線通信モデム３６，１６により映像ケーブル６０からの映像信号入力の有無と画質、並びに記録装置７２における記録の有無と画質をセットトップボックス１０に通知し、セットトップボックス１０は、これらの情報と、入力映像データのコピー管理情報とに従い、映像出力装置５２からの映像出力の可否と画質を制御し、電力線通信モデム１６，３６を介して録画装置３０における記録の可否と画質を制御する。
【００１５】
例えば、録画装置３０が記録モードで動作していないとき、セットトップボックス１０は、画像出力装置５２から高品位の映像信号を出力する。映像信号にコピー禁止のコピー管理情報が付加されている場合で、録画装置３０から記録モードで動作中を示すことが通知されると、セットトップボックス１０は、映像出力装置５２に映像信号の出力を禁止する。映像信号に高解像度への録画を禁止するが、低解像度への録画を許可するコピー管理情報が付加されている場合で、録画装置３０から記録モードで動作中を示すことが通知されると、セットトップボックス１０は、映像出力装置５２に低解像度での映像信号を出力させる。
【００１６】
セットトップボックス１０は、電力線通信モデム１６による電力線通信が不通な状態では、映像出力装置５２からの映像出力を停止する。また、録画装置３０は、電力線通信モデムによる電力線通信が不通な状態では、記録装置７２の記録モードでの動作を禁止する。
【００１７】
このようにして、本実施例では、コピー管理情報に対応しない録画装置に対しても、コピー管理された映像信号の録画を制御できるようになる。
【００１８】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００１９】
【図１】本発明の一実施例の概略構成ブロック図である。
【符号の説明】
【００２０】
１０：セットトップボックス
１２：通信線
１４：電力線
１６：電力線通信モデム
１８：電力線
２０：プラグ
２２：コンセント
３０：録画装置
３２：通信線
３４：電力線
３６：電力線通信モデム
３８：電力線
４０：プラグ
４２：コンセント
５０：メモリ
５２：映像出力装置
５４：制御装置
６０：映像ケーブル
７０：映像入力装置
７２：記録装置
７４：制御装置
【図１】
0004458276.tif 000002